(57)【要約】      （修正有）【課題】家具を充分に固定することができる強度を確保しつつ、簡易な作業で、設置箇所の間隙に合わせた適切な嵌り具合に調整して、設置する家具固定具の提供。【解決手段】固定具１０は、両端面に波形状に形成された複数の係止部１６を有するプレート１２と、このプレート１２に取り付けられて家具１に各々係合して家具１と天井２との間に嵌合される１対の係合片１４Ａ、１４Ｂとから成る。一方の係合片１４Ｂは、プレート１２に摺動自在に取り付けられ、この摺動自在な係合片１４Ｂと波形状の係止部１６間の凹部とに跨って係止され通常では摺動自在な係合片１４Ｂ及び波形状の係止部１６間の凹部２２を締め付ける方向へ付勢されたバネ２４を介して、波形状の任意の係止部１６に係止される。【選択図】図１
0003118513.tif 000002
【実用新案登録請求の範囲】
【請求項１】
家具と天井又は壁面との間に設置されて前記家具の変位を防止する家具の固定具であって、両端面に波形状に形成された複数の係止部を有するプレートと、前記プレートに取り付けられて前記家具又は天井若しくは壁面に各々係合して前記家具と前記天井又は壁面との間に嵌合される１対の係合片とから成り、少なくとも一方の前記係合片は、前記プレートに摺動自在に取り付けられ、前記摺動自在な係合片と前記波形状の係止部間の凹部とに跨って係止され通常では前記摺動自在な係合片及び前記波形状の係止部間の凹部を締め付ける方向へ付勢されたバネを介して、前記波形状の任意の係止部に係止されることを特徴とする家具の固定具。
【請求項２】
請求項１に記載された家具の固定具において、前記プレートの前記係止部は、前記摺動自在な係止片の前記バネが係止された状態での摺動を、前記嵌合を締める方向へは許容するが、前記嵌合を緩める方向へは許容しないことを特徴とする家具の固定具。
【請求項３】
請求項１又は請求項２のいずれかに記載された家具の固定具において、前記摺動自在な係合片は、前記家具側に配置される係合片であり、前記プレートの前記係止部は、前記バネが係止された状態で前記家具側に配置される係合片が前記家具から離反する方向へ摺動するのを許容しないことを特徴とする家具の固定具。
【請求項４】
請求項３に記載された家具の固定具において、前記天井又は前記壁面側に配置される他方の係合片は、前記プレートの前記天井又は壁面側の端部に固定して設置されていることを特徴とする家具の固定具。
【請求項５】
請求項３又は請求項４のいずれかに記載された家具の固定具において、前記プレートの前記係止部は、前記プレートから前記家具側へ傾斜して伸びる辺を有する鋸刃状の凸部が連続して形成される波形状であることを特徴とする家具の固定具。
【請求項６】
請求項１乃至請求項５のいずれかに記載された家具の固定具において、前記摺動自在な係止片は、前記バネが係止された状態で、前記プレートの両端面の係止部に係合することができる爪を有する工具により前記バネの付勢力に抗して前記嵌合を締める方向へ押し進められて、隣接する係止部へ摺動できることを特徴とする家具の固定具。
【請求項７】
請求項１乃至請求項６のいずれかに記載された家具の固定具において、前記摺動自在な係合片は、前記バネの係止を前記バネの付勢力に抗して解除することにより、前記プレートの家具側又は前記天井若しくは壁面側のいずれの方向にも自由に摺動できることを特徴とする家具の固定具。
【請求項８】
請求項１乃至請求項７のいずれかに記載された家具の固定具において、前記係合片のうち、前記家具又は天井に若しくは壁面に係合する係合面には、弾性変形可能な緩衝材が取り付けられていることを特徴とする家具の固定具。
【考案の詳細な説明】
【技術分野】
【０００１】
本考案は、家具と天井等との間に嵌合して設置され、平時における家具のぐらつきや、地震時等における家具の転倒やズレ等の変位を防止する家具の固定具の改良に関し、特に、嵌り具合の調整や設置を簡易に行うことに関するものである。
【背景技術】
【０００２】
地震時等における家具のぐらつきや転倒等を防止するためには、一般に、外筒と、この外筒から出し入れ自在な内筒とを備え、内筒の出し入れによる全長の調整が可能な固定具が使用されることがある。この一般的な家具の固定具では、その全長を、家具の天井面と家屋の天井との間に間隔に合わせて調整し、家具と天井間に嵌合して、家具の設置を安定させる。
【０００３】
しかし、この一般的な固定具では、外筒側から内筒にネジ部材を押し当てて、家具と天井との間の間隔に合わせた全長を維持しているため、その維持強度が必ずしも高くはなく、大きな力が加わった場合には、内筒が外筒内に入り込んで全長が短くなり、家具を安定的に固定することができなくなる問題があった。
【０００４】
この点を考慮して、外筒と内筒にそれぞれ間欠的に設けられた複数の貫通孔を形成し、これらの外筒と内筒の貫通孔を付合させて、この貫通孔に連結ねじを螺合して内筒を外筒に固定する転倒防止具も提案されている（例えば、特許文献１参照）。
【０００５】
しかし、この従来技術では、転倒防止具の全長の調整や設置に際して、連結ねじの取り外しや螺合作業を必要とするため、非常に手間が掛かる問題があった。特に、これらの転倒防止具は、家具と天井との間に設置される関係上、その調整や設置作業を比較的高所で行うことが必要となる関係上、連結ネジの螺合、取り外しという細かな作業を必要とすると、嵌り具合の調整や設置が困難となる問題があった。
【０００６】
また、この従来技術では、連結ねじによる固定強度は向上するものの、その強度を確保するために複数の貫通孔をある程度の間隔を空けて間欠的に形成する必要があることから、転倒防止具を任意の長さに調節することができない。このことは、家具と天井との間の間隙が必ずしも一定ではないことを考慮すると、現実的には使用することに困難性を伴う。具体的には、設置箇所に合致しない長さのまま使用しようとすると、短すぎる場合には、家具を安定的に固定することができず、一方、長すぎる場合には設置自体をすることができないか、あるいは、無理に設置すると家具又は天井のいずれか一方を損傷させるおそれがある。
【特許文献１】特開平８−２９９０９１号公報
【考案の開示】
【考案が解決しようとする課題】
【０００７】
本考案が解決しようとする課題は、上記の問題点に鑑み、家具を充分に固定することができる強度を有しつつ、簡易な作業で、設置箇所の間隙に合わせた適切な嵌り具合に調整して、設置することができる家具の固定具を提供することにある。
【課題を解決するための手段】
【０００８】
本考案は、上記の課題を解決するための第１の手段として、家具と天井又は壁面との間に設置されて家具の変位を防止する家具の固定具であって、両端面に波形状に形成された複数の係止部を有するプレートと、このプレートに取り付けられて家具又は天井若しくは壁面に各々係合して家具と天井又は壁面との間に嵌合される１対の係合片とから成り、少なくとも一方の係合片は、プレートに摺動自在に取り付けられ、摺動自在な係合片と波形状の係止部間の凹部とに跨って係止され通常では摺動自在な係合片及び波形状の係止部間の凹部を締め付ける方向へ付勢されたバネを介して、波形状の任意の係止部に係止されることを特徴とする家具の固定具を提供するものである。
【０００９】
本考案は、上記の課題を解決するための第２の手段として、上記第１の解決手段において、プレートの係止部は、摺動自在な係止片のバネが係止された状態での摺動を、嵌合を締める方向へは許容するが、嵌合を緩める方向へは許容しないことを特徴とする家具の固定具を提供するものである。
【００１０】
本考案は、上記の課題を解決するための第３の手段として、上記第１又は第２のいずれかの解決において、摺動自在な係合片は、家具側に配置される係合片であり、プレートの係止部は、バネが係止された状態で家具側に配置される係合片が家具から離反する方向へ摺動するのを許容しないことを特徴とする家具の固定具を提供するものである。
【００１１】
本考案は、上記の課題を解決するための第４の手段として、上記第３の解決において、天井又は壁面側に配置される他方の係合片は、プレートの天井又は壁面側の端部に固定して設置されていることを特徴とする家具の固定具を提供するものである。
【００１２】
本考案は、上記の課題を解決するための第５の手段として、上記第３又は第４のいずれかの解決において、プレートの係止部は、プレートから家具側へ傾斜して伸びる辺を有する鋸刃状の凸部が連続して形成される波形状であることを特徴とする家具の固定具を提供するものである。
【００１３】
本考案は、上記の課題を解決するための第６の手段として、上記第１乃至第５のいずれかの解決において、摺動自在な係止片は、バネが係止された状態で、プレートの両端面の係止部に係合することができる爪を有する工具によりバネの付勢力に抗して嵌合を締める方向へ押し進められて、隣接する係止部へ摺動できることを特徴とする家具の固定具を提供するものである。
【００１４】
本考案は、上記の課題を解決するための第７の手段として、上記第１乃至第６のいずれかの解決において、摺動自在な係合片は、バネの係止をバネの付勢力に抗して解除することにより、プレートの家具側又は天井若しくは壁面側のいずれの方向にも自由に摺動できることを特徴とする家具の固定具を提供するものである。
【００１５】
本考案は、上記の課題を解決するための第８の手段として、上記第１乃至第７のいずれかの解決において、係合片のうち、家具又は天井に若しくは壁面に係合する係合面には、弾性変形可能な緩衝材が取り付けられていることを特徴とする家具の固定具を提供するものである。
【考案の効果】
【００１６】
本考案によれば、上記のように、摺動自在な係合片を、プレートの波形状の係止部に、バネにより締め付けて係止させているため、単にネジを押し当てて固定する場合と異なりバネが係止部により強固に保持されるので充分な強度を確保しつつ、係合片を適宜の位置に修道させてバネを任意の係止部に係止させるだけで、１対の係合片間の間隔を、ネジの螺合等の面倒な作業を要することなく、簡易に設置箇所の寸法に合わせて調整して設置することができる実益がある。
【００１７】
この場合、同時に、本考案によれば、上記のように、摺動可能な係合片を、細かく連続して形成された波形状の係止部にバネを介して係止させているため、間欠的に形成された貫通孔に連結ネジを螺合する場合と異なり、係合片を、より細かな単位での任意の位置に調整することができるので、１対の係合片の間の間隔を、家具と天井との間の間隙等の設置箇所の寸法に適切に付合した間隔に簡易に調整して、家具を適切に固定することができる実益がある。
【００１８】
この場合、特に、本考案によれば、上記のように、上記のように、家具と天井等との間に設置される家具の固定具において、下方側に位置する家具側の係合片を摺動自在としているため、できるだけ低い箇所での作業が可能となると共に、プレートの係止部により、この摺動自在な家具側の係合片が、バネにより係止された状態で家具から離反する方向、即ち、１対の係合片の間隔を狭める上方側へ摺動するのを規制しているため、衝撃が加わっても、家具を確実に、かつ、安定的に固定することができる。
【００１９】
一方で、本考案によれば、上記のように、天井又は壁面側に配置される他方の係合片を、プレートの天井又は壁面側の端部に固定して設置しているため、作業者から比較的遠い高所に位置する係合片に対しては何ら作業をすることなく、このプレートの端部に設置された天井又は壁面側の係合片を単に天井や壁面に当接させて家具側の係合片の位置を調整するだけで、家具と天井等との間に簡易にかつ適切に設置することができると同時に、天井等側の係合片は変位することがないため、充分な強度を確保することもできる実益がある。
【００２０】
この場合、具体的には、本考案によれば、上記のように、プレートの係止部を、プレートから家具側へ傾斜して伸びる辺を有する鋸刃状の凸部が連続して形成される波形状としているため、家具側の摺動自在な係合片が天井側へ変位するのを、確実に防止することができる実益がある。
【００２１】
また、本考案によれば、上記のように、工具の爪をプレートの両端面の係止部に係合させて、この工具により、摺動自在な係止片を押し進めるだけで、バネにより締め付けられたまま嵌合を締める方向に隣接する係止部へ移動させることができるため、１対の係合片間の間隔を設置箇所に合わせて簡易に調整することができると同時に確実に固定することができ、これにより、特に、上記のように、家具側の係合片を摺動自在とした場合には、工具を係止部を支点として下方に倒すだけで、１対の係合片間の間隔を、家具と天井との間の間隙に合致するように、非常に簡易に調整することができる実益がある。
【００２２】
更に、本考案によれば、上記のように、バネの係止をバネの付勢力に抗して解除すれば、摺動自在な係合片を自由に摺動させることができるため、摺動自在な係合片を、プレートの係止部単位ではなく、長距離に亘って一度に移動させることもでき、当初の設置時等や係合片の長距離に移動が必要な場合にも、１対の係合片間の間隔を、簡易な作業で家具と天井等との間の設置箇所の寸法に概ね合致させた上で、細かな位置調整をすることができ、簡易な作業で適切に設置することができる実益がある。
【００２３】
加えて、本考案によれば、上記のように、係合片のうち、家具又は天井に若しくは壁面に係合する係合面には、例えば、スポンジ等の弾性変形可能な緩衝材が取り付けられているため、１対の係合片を家具や天井等との間に嵌合させても、家具や天井等の損傷を防止することができると同時に、家具と天井間の間隙と、１対の係合片間の間隔との多少の誤差を吸収して、１対の係合片を家具と天井等との間に確実に固定することができる実益がある。
【考案を実施するための最良の形態】
【００２４】
本考案の実施の形態を図面を参照しながら詳細に説明すると、図１乃至図３は、本考案の家具の固定具１０を示し、この家具の固定具１０は、家具１と天井２との間に設置されて家具１の変位を防止するものであって、図１乃至図３に示すように、家具１と天井２との間の間隙の壁面３に沿って配置されるプレート１２と、このプレート１２取り付けられて家具１又は天井２に各々係合して家具１と天井２との間に嵌合される１対の係合片１４１４とから成っている。
【００２５】
プレート１２は、衝撃が加わっても容易に変形しないよう、工具鋼等のある程度の強度を有する金属製材料から、図１乃至図３に示すように、長尺状に形成される。このプレート１２は、図１乃至図３に示すように、長手方向の両端面を左右に向けて、天井２から家具１に向けて下垂して延びるように配置される。このプレート１２の長手方向の両端面には、図１及び図２に示すように、波形状に形成された複数の係止部１６が形成されている。なお、このプレート１２は、想定しうる家具１と天井２との間の間隙に対応することができるように、充分な長さ、具体的には、必要に応じて、５０ｃｍ〜１ｍ程度の長さに設定する。
【００２６】
一方、１対の係合片１４のうち、天井２側に配置される一方の係合片１４Ａは、図１乃至図３に示すように、プレート１２の天井２側の端部から伸びるようにして、このプレート１２の端部に一体的に形成されている。従って、この天井２側の係合片１４Ａは、プレート１２に固定して設置されて、変位することがないため、充分な強度をもって天井２に係合することができる。
【００２７】
１対の係合片１４のうち、家具１側に配置される他方の係合片１４Ｂは、図１乃至図３に示すように、プレート１２に摺動自在に取り付けられている。具体的には、この摺動自在な係合片１４Ｂは、図１乃至図３に示すように、係合面１８を有する略Ｌ字形状の係合片本体１４ａと、この略Ｌ字形状を有する係合片本体１４ａの係合面１８とは異なる辺側の面とプレート１２を覆うようにして配置された摺動部１４ｂとから成り、この摺動部１４ｂを、プレート１２の裏面において複数の係止部１６との間に形成された段差に、プレート１２の表面側から裏面側にかけて跨って、プレート１２の長手方向の両端面に係合させて、摺動部１４ｂとプレート１２との間で係合片本体１４ａを挟むようにして取り付けることにより、このプレート１２の長手方向の端面に沿って摺動することができる。
【００２８】
この家具１側に配置された摺動自在な係合片１４Ｂの摺動部１４ｂの両側面には、図１乃至図３に示すように、係止溝２０が形成されている。一方、波形状の複数の係止部１６間には、その形状から必然的に、凹部２２が形成されることになる。家具１側に配置された摺動自在な係合片１４Ｂは、図１乃至図３に示すように、その係止溝２０と波形状の複数の係止部１６間の凹部２２とに跨って係止され、通常では摺動自在な係合片１４Ｂの係止溝２０及び波形状の複数の係止部１６間の凹部２２を締め付ける方向へ付勢されたバネ２４を介して、波形状の任意の係止部１６に係止することができる。
【００２９】
従って、家具１側に配置された摺動自在な係合片１４Ｂは、プレート１２の任意の係止部１６にバネ２４を介して係止させることにより、天井２側に配置された固定的な係合片１４Ａとの間の間隔を任意に調整することができ、これらの１対の係合片１４Ａ、１４Ｂ間の間隔を、設置すべき家具１と天井２との間の間隙に合わせて調整することにより、家具１と天井２との間に、嵌合させることができる。
【００３０】
この場合、プレート１２の係止部１６は、この摺動自在な係止片１４Ｂのバネ２４が係止された状態での摺動を、家具１と天井２との間への嵌合を締める方向へは許容するが、嵌合を緩める方向へは許容しないように設定する。即ち、下方の家具１側の係合片１４Ｂが摺動する図示の実施の形態においては、プレート１２の係止部１６は、バネ２４が係止された状態で家具１側に配置される摺動自在な係合片１４Ｂが、家具１に近接する方向（即ち、下方の家具１側）へ摺動するのは許容するが、家具１から離反する方向（即ち、上方の天井２側）へ摺動するのを許容しない。
【００３１】
具体的には、図１及び図２に示すように、プレート１２の波形状の各係止部１６において少なくとも天井２側に位置する摺動辺１６ａがプレート１２から下方の家具１側へ傾斜して伸びる鋸刃状の凸部に形成し、これをプレート１２の長手方向の両端面に連続して配列することにより、対応することができる。
【００３２】
この場合、プレート１２の波形状の各係止部１６において家具１側に位置する係止辺１６ｂは、図１及び図２に示すように、少なくともプレート１２から水平の方向（家具１の設置面と平行の方向）又はプレート１２から下方の家具１側へ傾斜して伸びるように形成され、バネ２４を確実に受け止めて、係合片１４Ｂが家具１から離反する方向（即ち、上方の天井２側）へ摺動するのを規制する。従って、１対の係合片１４Ａ、１４Ｂ間の間隔が、衝撃等が加わった場合にも、不意に狭まることがなく、充分な強度をもって家具１を固定することができる。
【００３３】
一方、摺動自在な係止片１４Ｂは、バネ２４が係止された状態で、１対の係合片１４Ａ、１４Ｂの家具１と天井２との間への嵌合を締める方向、即ち、図示の実施の形態においては、家具１の方向（下方）に、バネ２４の付勢力に抗しながら押し進められることにより、バネ２４が天井２側に位置しプレート１２から下方の家具１側へ傾斜して伸びる摺動辺１６ａに沿って拡張しながら移動して、家具１に近接する方向（下方の家具１側）に位置する隣接する係止部１６へ摺動することができる。従って、固定具１０の設置時においては、摺動自在な係合片１４を、徐々に下方へ摺動させていくことにより、１対の係合片１４Ａ、１４Ｂ間の間隔を、設置すべき家具１と天井２との間の間隙に合わせて適切に調整して、設置することができる。特に、この場合、従来の間欠的に形成された貫通孔に連結ネジを螺合する場合と異なり、摺動自在な係合１４Ｂ片を、より細かな単位での任意の位置に調整することができるので、１対の係合片１４Ａ、１４Ｂの間の間隔を、家具１と天井２との間の間隙等の設置箇所の寸法に適切に付合した間隔に簡易に調整して、家具１を適切に固定することができる。
【００３４】
なお、この場合、図１及び図３に示すように、摺動自在な係合片１４Ｂの併合片本体１４ａにおいて、係合面２０とは反対側に押し当て面２６を形成することにより、この摺動自在な係合片１４Ｂの摺動及び位置調整を容易に行うことができる。また、この場合、バネ２４は、ある程度強い付勢力を有しているため、プレート１２の両端面の係止部１６に係合することができる爪を有する図示しない工具を、この押し当て面２６に押し当てることにより、押し進めて摺動させることもできる。
【００３５】
この場合には、この図示しない工具を、押し当て面２６に押し当てた状態で、係止部１６を支点として下方に倒すだけで、摺動自在な係止片１４Ｂをバネ２４により締め付けられたまま嵌合を締める方向に隣接する係止部１６へ移動させることができ、１対の係合片１４Ａ、１４Ｂ間の間隔を、家具１と天井２との間の間隙に合致するように、非常に簡易に調整することができる。
【００３６】
また、バネ２４は、図１乃至図３に示すように、プレート１２の裏面において通常では摺動自在な係合片１４Ｂの係止溝２０及び波形状の複数の係止部１６間の凹部２２を締め付けるように収縮しているコイル部２４Ａと、このコイル部２４Ａから係止溝２０及び係止部１６間の凹部２２を介して、プレート１２の表面側にまで伸びる締付部２４Ｂと、この収縮部２４Ｂの終端においてプレート１２から立脚するように折り曲げられた把持部２４Ｃとから成っている。
【００３７】
従って、このバネ２４は、コイル部２４Ａの収縮により、通常では、締付部２４Ｂが、
摺動自在な係合片１４Ｂの係止溝２０及び波形状の複数の係止部１６間の凹部２２を締め付け、摺動自在な家具１側の係合片の摺動を確実に抑止する一方、プレート１２の表面側の把持部２４Ｃを、このコイル部２４Ａの収縮による付勢力に抗して相互に近接するように摘むことにより、摺動自在な係合片１４Ｂの係止を系除することができる。これにより、摺動自在な係合片１４Ｂは、プレートの家具１側又は天井２側のいずれの方向にも自由に摺動することができる。
【００３８】
これにより、摺動自在な係合片１４を、プレート１２の係止部１６単位ではなく、長距離に亘って一度に移動させることもでき、当初の設置時等や係合片１４Ｂの長距離に移動が必要な場合にも、１対の係合片１４Ａ、１４Ｂ間の間隔を、簡易な作業で家具１と天井２等との間の設置箇所の寸法に概ね合致させた上で、最後に、上記の図示しない工具等を使用して、細かな位置調整のみをするだけ足り、固定具１０を簡易な作業で適切に設置することができる。なお、この場合、把持部２４Ｃの終端には、滑り止めを兼ねたゴム等から成るカバーを取り付けることが好ましい。なお、バネ２４は、コイル部２４Ａが縮径して締付部２４Ｂの相互離反を許容できるよう、図２に示すように、プレート１２の裏面において、コイル部２４Ａが係止溝２０から若干の距離を置いた位置に配置されているが、摺動自在な係止片１４Ｂが、どの位置に摺動しても、支障とならないように、配慮する。
【００３９】
加えて、係合片１４Ａ、１４Ｂのうち、家具１又は天井２に係合する係合面２０には、図１乃至図３に示すように、弾性変形可能な緩衝材２８が取り付けられている。この緩衝材２８としては、ゴムやスポンジ等を使用することができる。
【００４０】
これらのゴムやスポンジ等の緩衝材２８により、１対の係合片１４Ａ、１４Ｂを強固な力で家具１や天井２との間に嵌合させても、家具１や天井２の損傷を防止することができると同時に、家具１と天井２間の間隙と、１対の係合片１４Ａ、１４Ｂ間の間隔との間に多少の誤差が生じても、その誤差を吸収して、１対の係合片１４Ａ、１４Ｂを家具１と天井２との間に確実に固定することができる。また、この緩衝材２８自体が、上述したゴムやスポンジ等の滑り抵抗の高い材質である場合には、家具１や天井２に対する固定具１０の変位を、確実に抑制することもできる。
【００４１】
次に、本発明の家具の固定具１０の使用方法について説明すると、天井２側の係合片１４Ａを設置すべき箇所の天井２に係合させると共に、プレート１２を天井２と家具１との間の壁面３に沿って配置する。この場合、プレート１２が、家具１と天井２との間の間隙よりも長い場合には、剰余のプレート１２部分を家具１の背面と壁面３との間に挿入して配置する。また、家具１側の摺動自在な係合片１４Ｂを、家具１と天井２との間に位置するように配置する。この場合、図示と異なり、コイル部２４Ａを、家具１側に配置することもできる。
【００４２】
この場合、作業者から比較的遠い高所に位置する天井２側の係合片１４Ａは、プレート１２の端部に固定して設置されているため、この天井２側の係合片１４Ａに対しては何ら作業をすることなく、上記のように、単に天井２に当接させるだけで簡易にかつ適切に配置することができる。
【００４３】
この場合に、家具１側の摺動自在な係合片１４Ｂと家具１との間に大きな隔たりがあるときには、バネ２４の把持部２４Ｃを摘んで、摺動自在な係合片１４Ｂを家具の天板付近にまで摺動させる。なお、この作業は、設置までに事前に行うこともできる。その後、上述した図示しない工具等により、家具１側の摺動自在な係合片１４Ｂを、徐々に下方に押し下げていき、適度な力で押しても、係合片１４Ｂを押し下げることができない位置にまで下げて位置調整することにより、１対の係合片１４Ａ、１４Ｂを、家具１と天井２との間に嵌合させる。
【００４４】
この場合、特に、下方（作業者側）に位置する家具１側の係合片を摺動自在としているため、できるだけ低く、作業者に近い箇所での作業が可能であると共に、連結ネジの螺合などをすることなく、摺動自在な係合片１４Ｂを押し下げるだけで、適切に位置調整及び設置をすることができ、非常に簡易な作業でありながら、家具１を確実に、かつ、安定的に固定することができる。
【００４５】
尚、上記の実施の形態では、固定具１０を、家具１と天井２との間に設置する場合を例二節下が、固定具１０の設置箇所に特に限定はなく、例えば、図示の実施の形態と異なり、プレート１２を水平方向に配置して、家具１同士の間。、あるいは、家具１と壁面３との間に設置することができる。また、これらの場合には、一方の係合片１４Ｂのみを摺動自在とした上記の実施の形態と異なり、１対の係合片１４Ａ、１４Ｂのいずれをも、摺動自在として、１対の係合片１４Ａ、１４Ｂ間の間隔を相対的に調整することができるように設定することもできる。
【産業上の利用可能性】
【００４６】
本考案は、特に、例えば、家庭や事業所等に設置される棚等の家具に、広く適用することができる。
【図面の簡単な説明】
【００４７】
【図１】本考案の家具の固定具の正面図である。
【図２】本考案の家具の固定具の背面図である。
【図３】本考案の家具の固定具の側面図である。
【符号の説明】
【００４８】
１  家具
２  天井
３  壁面
１０  固定具
１２  プレート
１４Ａ、１４Ｂ  係合片
１４ａ  係合片本体
１４ｂ  摺動部
１６  係止部
１６ａ  摺動辺
１６ｂ  係止辺
１８  係合面
２０  係止溝
２２  凹部
２４  バネ
２４Ａ  コイル部
２４Ｂ  締付部
２４Ｃ  把持部
２４ａ  カバー
２６  押し当て面
２８  緩衝材
【図１】
0003118513.tif 000003
【図２】
0003118513.tif 000004
【図３】
0003118513.tif 000005